(57)【要約】【課題】吐水管が細くスリムで外観に優れたホース収納式の自動水栓を提供する。【解決手段】自動水栓において、吐水ヘッドを保持するホルダ管２０の内部に、仕切部材としてのセンサホルダ６６を挿入して仕切部としての支持脚８４にて区画した配線収納空間９０にセンサ側配線コードと制御部側配線コードとを連結するコネクタ８０-２を収納するとともに、ホース挿通空間８８に給水ホース２２を挿通する。そのコネクタ８０-２は支持脚８４の奥側の後部に配置するとともに、支持脚８４をコネクタ８０-２より前側の部位で配線収納空間９０側に湾曲させて、その湾曲部より前部８４Ａを、湾曲部よりも後部８４Ｂに対して配線収納空間９０側に偏って位置させておく。【選択図】        図７
2010133131.tif 000002
【特許請求の範囲】
【請求項１】
吐水口を有する吐水ヘッドに接続された可撓性を有する給水ホースを、該吐水ヘッドを保持するホルダ管に引出可能に挿通するとともに、該ホルダ管には人体検知センサを設けて、該人体検知センサによる人体検知に基づいて制御部の制御の下に該吐水口から自動的に吐水するようになした自動水栓において
前記ホルダ管には、前記吐水ヘッド側の前端側の内部に、該ホルダ管の内部を配線収納空間とホース挿通空間とに仕切る仕切部を備えた仕切部材を設けて、該配線収納空間に前記人体検知センサと前記制御部とを繋ぐ電気配線及び該電気配線のセンサ側配線と制御部側配線とを連結するコネクタを収納するとともに、前記ホース挿通空間に前記給水ホースを引出可能に挿通し、
且つ前記コネクタは前記仕切部の奥側の後部に配置して、前記仕切部材の該後部に該コネクタの固定部を設ける一方、該仕切部は、該コネクタより前側の部位で前記配線収納空間側に湾曲させて、その湾曲部よりも前部を該湾曲部よりも後部に対して該配線収納空間側に偏って位置させてあることを特徴とする自動水栓。
【請求項２】
請求項１において、前記仕切部は使用者側からの正面視において前記ホルダ管の内部を左右方向に仕切るものとなしてあり、前記後部が前記給水ホースの前記ホース挿通空間内の該後部に対応する部分を左右方向の中心よりも該左右方向に偏って位置させるものとなしてあるとともに、前記前部が前記給水ホースの該ホース挿通空間内の該前部に対応する部分を該左右方向の中央部に位置させるものとなしてあることを特徴とする自動水栓。
【請求項３】
請求項１，２の何れかにおいて、前記ホルダ管の内部には前記仕切部材の更に後側に筒状をなす可撓性のホースガイド管が挿入されていて、該ホースガイド管の内部に前記給水ホースが挿通されているとともに、該ホースガイド管と前記ホルダ管との間の空間に前記制御部側配線が収納されており、
且つ前記仕切部の後端部には、前記ホースガイド管の前端部の内部に係入し、該ホースガイド管と前記ホース挿通空間との間で前記給水ホースを移行案内する係合突片が後方に突出する状態で設けてあることを特徴とする自動水栓。
【請求項４】
請求項１〜３の何れかにおいて、前記仕切部における湾曲部が、前記給水ホースの収納時に該給水ホースに摺接して水切りを行う水切り部を兼ねており、前記ホルダ管には該湾曲部の前側且つ下部に貫通の水抜孔が設けてあることを特徴とする自動水栓。
【請求項５】
請求項１〜４の何れかにおいて、前記人体検知センサは、前記ホルダ管に対して該ホルダ管内の内側から取り付けられていることを特徴とする自動水栓。
【発明の詳細な説明】
【技術分野】
【０００１】
この発明は、人体検知センサによる人体検知に基づいて吐水を自動的に行う自動水栓に関し、詳しくは吐水ヘッドをこれに接続された可撓性を有する給水ホースとともに引出可能となした自動水栓に関する。
【背景技術】
【０００２】
従来、人体検知センサによる人体検知に基づいて吐水を自動的に行う自動水栓が広く用いられている。
この種自動水栓として、吐水ヘッドに接続された可撓性を有する給水ホースを、吐水ヘッドを保持するホルダ管の内部に挿通し、その給水ホースを吐水ヘッドとともにホルダ管から引出可能となしたホース収納水栓が公知である。
例えば下記特許文献１，特許文献２に、この種のホース収納式の自動水栓が開示されている。
【０００３】
ところでこの種のホース収納式の自動水栓では、可動側である吐水ヘッドに対して固定側となるホルダ管に人体検知センサを設けておくことが必要であり、これに伴いホルダ管の内部に給水ホースを引出可能に挿通しておくのに加えて、ホルダ管の内部に人体検知センサと制御部とを繋ぐ電気配線を設けておくことが必要である。
【０００４】
特許文献１，特許文献２に開示のものでは、ホルダ管を、その大部分をなす基端側の金属パイプと、先端側の概略筒状をなすガイド部材及びその上面の開放部を閉鎖する蓋板とで構成し、そしてその蓋板の外側に人体検知センサ及びセンサ側配線と制御部側配線とを連結するコネクタを配置して、それらをカバーにて覆うようにしており、この場合大型の部品であるコネクタがホルダ管の内部に位置していないため、ホルダ管内から引き出され或いは収納される給水ホースに対して、このコネクタが干渉せず、ホルダ管内における給水ホースの円滑な移動が確保されるとともに、コネクタが給水ホースと干渉することによって電気配線がコネクタを介して引張られたり絡まったりする問題を回避することができる。
【０００５】
ところで、近年においてはこの種自動水栓における吐水管の全体を細くスリムに構成することの要望が強く、これに対して特許文献１，特許文献２に開示のものでは、ホルダ管の前端側の部分が必然的に太く大型となり、吐水管をスリムに構成して外観上の美観，意匠性を高めるといった要望に対して十分に応えることができない。
【０００６】
そこで大型の部品であるコネクタを電気配線とともにホルダ管の内部に収納しておくことが考えられる。
このようにすればホルダ管、ひいては吐水管の全体を小型で細くスリムに構成することが可能となるが、一方でこのようにすると、ホルダ管の内部を移動する給水ホースに対してコネクタ及び電気配線が干渉してしまう問題を生ずる。
【０００７】
尚、下記特許文献３にはホルダ管の内部にホースガイド管を挿入し、そのホースガイド管の内部に給水ホースを挿通し、またホースガイド管とホルダ管との間に電気配線を収納するようになした点が開示されているが、この特許文献３に開示のものでは、電気配線を連結するコネクタの位置する部分において、そのコネクタと給水ホースとを仕切る仕切部材は特に設けられておらず、構成において本発明とは異なった別異のものである。
【０００８】
【特許文献１】特開２００６−１４４３２６号公報
【特許文献２】特開２００６−１４４３２４号公報
【特許文献３】特開平９−１４４０８８号公報
【発明の開示】
【発明が解決しようとする課題】
【０００９】
本発明は以上のような事情を背景とし、吐水管が細くスリムで外観に優れたホース収納式の自動水栓を提供することを目的としてなされたものである。
【課題を解決するための手段】
【００１０】
而して請求項１のものは、吐水口を有する吐水ヘッドに接続された可撓性を有する給水ホースを、該吐水ヘッドを保持するホルダ管に引出可能に挿通するとともに、該ホルダ管には人体検知センサを設けて、該人体検知センサによる人体検知に基づいて制御部の制御の下に該吐水口から自動的に吐水するようになした自動水栓において、前記ホルダ管には、前記吐水ヘッド側の前端側の内部に、該ホルダ管の内部を配線収納空間とホース挿通空間とに仕切る仕切部を備えた仕切部材を設けて、該配線収納空間に前記人体検知センサと前記制御部とを繋ぐ電気配線及び該電気配線のセンサ側配線と制御部側配線とを連結するコネクタを収納するとともに、前記ホース挿通空間に前記給水ホースを引出可能に挿通し、且つ前記コネクタは前記仕切部の奥側の後部に配置して、前記仕切部材の該後部に該コネクタの固定部を設ける一方、該仕切部は、該コネクタより前側の部位で前記配線収納空間側に湾曲させて、その湾曲部よりも前部を該湾曲部よりも後部に対して該配線収納空間側に偏って位置させてあることを特徴とする。
【００１１】
請求項２のものは、請求項１において、前記仕切部は使用者側からの正面視において前記ホルダ管の内部を左右方向に仕切るものとなしてあり、前記後部が前記給水ホースの前記ホース挿通空間内の該後部に対応する部分を左右方向の中心よりも該左右方向に偏って位置させるものとなしてあるとともに、前記前部が前記給水ホースの該ホース挿通空間内の該前部に対応する部分を該左右方向の中央部に位置させるものとなしてあることを特徴とする。
【００１２】
請求項３のものは、請求項１，２の何れかにおいて、前記ホルダ管の内部には前記仕切部材の更に後側に筒状をなす可撓性のホースガイド管が挿入されていて、該ホースガイド管の内部に前記給水ホースが挿通されているとともに、該ホースガイド管と前記ホルダ管との間の空間に前記制御部側配線が収納されており、且つ前記仕切部の後端部には、前記ホースガイド管の前端部の内部に係入し、該ホースガイド管と前記ホース挿通空間との間で前記給水ホースを移行案内する係合突片が後方に突出する状態で設けてあることを特徴とする。
【００１３】
請求項４のものは、請求項１〜３の何れかにおいて、前記仕切部における湾曲部が、前記給水ホースの収納時に該給水ホースに摺接して水切りを行う水切り部を兼ねており、前記ホルダ管には該湾曲部の前側且つ下部に貫通の水抜孔が設けてあることを特徴とする。
【００１４】
請求項５のものは、請求項１〜４の何れかにおいて、前記人体検知センサは、前記ホルダ管に対して該ホルダ管内の内側から取り付けられていることを特徴とする。
【発明の作用・効果】
【００１５】
以上のように本発明は、ホルダ管の吐水ヘッド側の先端側の内部に、ホルダ管の内部を配線収納空間とホース挿通空間とに仕切る仕切部を備えた仕切部材を設けて、その配線収納空間にコネクタを電気配線とともに収納するとともに、ホース挿通空間に給水ホースを移動可能に挿通し、且つそのコネクタは上記仕切部の奥側の後部に配置するとともに、仕切部をコネクタより前側の部位で配線収納空間側に湾曲させて、その湾曲部よりも前部を湾曲部よりも後部に対して配線収納空間側に偏って位置させたものである。
【００１６】
かかる本発明によれば、コネクタを電気配線とともにホルダ管の内部に収納してあるため、コネクタの配置個所においてもホルダ管を小型に細く構成することができ、ホルダ管全体ひいては吐水管を従来に増してスリムに構成することが可能となる。これにより吐水管の美観，意匠性を高めることが可能となる。
【００１７】
一方でホルダ管の内部は、コネクタの配置個所において仕切部材の仕切部によりホース挿通空間とコネクタ及び電気配線の収納空間とに区画されているため、コネクタ及び電気配線をホルダ管の内部に収納しているにも拘らず、給水ホースの引出し及び収納の際の移動時に給水ホースに対してコネクタ及び電気配線が干渉するのを防止することができる。
【００１８】
ところで、前述したようにコネクタは大型の部品であり、これを収納するためにはホルダ管の径方向において広いスペースを必要とする。
そのために仕切部材によって仕切られた配線収納空間を管軸方向全体に亘って、即ち仕切部の管軸方向の全長に亘ってホルダ管の径方向に広く確保しておくと、仕切部にて仕切られた今一方のホース挿通空間が狭められ、これに伴って給水ホースがホルダ管の径方向に大きく偏った位置に位置させられてしまう。
そのようにすると、給水ホースの引出し及び収納時に給水ホースがホース挿通空間を円滑に移動できなくなってしまう。
【００１９】
そこで本発明では、コネクタを仕切部の奥側の後部に配置し、その後部においてはコネクタのために配線収納空間を広く確保するようになす一方、コネクタよりも前側の部位で仕切部を配線収納空間側に湾曲させて、その湾曲部よりも前部を湾曲部よりも後部に対して配線収納空間側に偏って位置させ、そのことによって前部においてはホース挿通空間をホルダ管の径方向に広く確保し、その前部において給水ホースがホルダ管の中央側に位置できるようにしている。
【００２０】
通常、吐水ヘッドにおける給水ホースの接続個所はホルダ管の中央部に位置しており、従って給水ホースが仕切部の前部においてホルダ管の中央側に位置していれば、給水ホースが吐水ヘッドとの接続部近傍で急激に屈曲した形状とならず、そのことによって給水ホースをホルダ管から円滑に引き出し、又は収納することが可能となる。
【００２１】
またその際、仕切部に設けられた湾曲部は、収納空間の狭い後部から収納空間の広い前部へと給水ホースを円滑に移動案内する働きをなす。またホース収納時においても、給水ホースを収納空間の広い前部から収納空間の狭い後部へと円滑に移動案内する働きをなす。
【００２２】
本発明では、上記の仕切部を、使用者側からの正面視においてホルダ管の内部を左右方向に仕切るものとなし、そして後部を給水ホースの後部に対応する部分を左右方向の中心よりも左右方向に偏って位置させるものとなし、また前部を給水ホースの前部に対応する部分を左右方向の中央部に位置させるものとなしておくことができる（請求項２）。
【００２３】
次に請求項３は、ホルダ管の内部且つ仕切部材の更に奥側の後側に、筒状をなす可撓性のホースガイド管を挿入して、そのホースガイド管の内部に給水ホースを挿通するとともに、ホースガイド管とホルダ管との間の空間に制御部側配線を収納し、且つ上記仕切部の後端に、ホースガイド管の前端部の内部に係入する係合突片を後方に突出する状態で設けたものである。
【００２４】
このようにすることで、吐水ヘッドとともに給水ホースを引き出す際若しくはこれを収納する際に、ホースガイド管と仕切部にて仕切られたホース収納空間との間で給水ホースを円滑に移行案内することができる。
【００２５】
次に請求項４は、上記仕切部における湾曲部を、給水ホースの収納時に給水ホースに摺接して水切りを行う水切り部となし、そしてホルダ管には、その湾曲部の前側且つ下側に貫通の水抜孔を設けたものである。
【００２６】
このようにすることで、ホース収納式の水栓において従来から問題とされていた、ホース収納時にホースに付着した水がホルダ管の内部に浸入し、更にホルダ管の内部を伝ってキャビネット等の内部に浸入するのを抑制でき、且つその湾曲部から成る水切り部にて水切りした水をホルダ管の水抜孔を通じて外部に良好に排出することが可能となる。
【００２７】
本発明ではまた、人体検知センサをホルダ管に対してその内側から取り付けておくことができる（請求項５）。
このようにすれば、センサ取付部を含むホルダ管の全体、ひいては吐水管をより小型でスリムに構成し、外観をより一層良好なものとなすことが可能となる。
【発明を実施するための最良の形態】
【００２８】
次に本発明をキッチン用水栓として好適なホース収納式の自動水栓に適用した場合の実施形態を図面に基づいて以下に詳しく説明する。
図１において、１０はカウンタで、このカウンタ１０上に起立する状態で水栓本体部１２が設けられ、更にこの水栓本体部１２から吐水管１４が延び出している。
吐水管１４は、管軸方向において吐水口１６を有する先端側の吐水ヘッド１８と、これを保持する基端側のホルダ管２０との分割構造とされている。
【００２９】
ホルダ管２０には、後述の可撓性を有する給水ホース２２が挿通されてそこに収納され、この給水ホース２２が吐水ヘッド１８に接続されている。
吐水ヘッド１８は、この給水ホース２２とともにホルダ管２０から引出可能とされている。
即ちこの実施形態の自動水栓はホース収納式の自動水栓である。
【００３０】
ホルダ管２０には、管軸周りの周壁部、ここでは周壁上部を径方向に貫通して人体検知センサとしての光センサから成る温水用センサ２６（以下単にセンサ２６とする）と、浄水用センサ２８（以下単にセンサ２８とする）とが管軸方向に並べて取り付けられている。
ここでセンサ２６と２８とは、それぞれホルダ管２０の内側から取り付けられている。
開口窓部２４及びそこに取り付けられたセンサ２６及び２８はそれぞれ上方に向けて、詳しくは使用者に向かって斜め前方の上方に向けて設けられている。
【００３１】
即ち、吐水口１６からの吐水の方向が下向きであるのに対し、これらセンサ２６及び２８は、それぞれ検知方向が吐水の方向とは異なった方向とされており、吐水口１６からの吐水方向前方の人体やその他の対象物を検知しない向きで設けられている。
【００３２】
ここでセンサ２６は、その検知方向前方即ち上方に使用者が手かざししたとき、これを検知して吐水口１６から適温に温調された温水を吐水させる。
温水用センサ２６は、その後人体非検知となっても温水の吐水を継続させ、そして再び使用者による手かざし操作によって人体検知したとき、吐水口１６からの温水の吐水を停止させる。
【００３３】
センサ２８もまた同様で、使用者の手かざし操作によって人体検知すると、そこで吐水口１６から浄水を吐水させる。
センサ２８は、その後人体非検知となっても浄水の吐水を継続させ、そして再び使用者が手かざし操作をすることによって人体検知したときに、そこで浄水の吐水を停止させる。
即ちセンサ２６，２８は、何れも人体検知するごとに吐水と止水とを交互に行わせる手かざし式の交互センサとされている。
【００３４】
上記水栓本体部１２は、その内部に設けられた混合弁３０と、これを操作するレバーハンドル３２とを有している。ここで混合弁３０は、水と湯とを所定比率で混合して適温の温水とする。
レバーハンドル３２は、左右回動操作によって水と湯との混合比率を調節し、即ち混合水の温度を調節し、また上下回動操作によって温水の吐水流量を調節する。
【００３５】
この実施形態において、給水元管からの水はカウンタ１０下の止水栓３４を経て給水路３６を通じ混合弁３０へと供給される。
また給湯元管からの湯が、止水栓３８を経て給湯路４０を通じ混合弁３０へと供給される。
そして混合弁３０に供給された水と湯とが、混合弁３０で所定比率で混合されて適温の温水とされ、混合弁３０から延び出した流出管へと流出せしめられる。
【００３６】
この流出管には、上記の可撓性の給水ホース２２が接続されており、それら流出管と給水ホース２２とによって、その内部に流出路４２が形成されている。
即ち上記可撓性を有する給水ホース２２は、カウンタ１０の下方に垂れ下がっており、吐水ヘッド１８とは反対側の端部が混合弁３０から下向きに延び出した流出管に接続されている。
図中４２Ａは混合弁３０側の流出路を、また４２Ｂは給水ホース２２側の流出路をそれぞれ表している。
【００３７】
カウンタ１０の下方には制御ボックス１５が配置されており、そしてその制御ボックス１５の内部において、流出路４２上にこれを開閉する電磁弁４４が設けられていて、その電磁弁４４の開閉により、吐水口１６からの温水の吐水と止水とが行われる。
【００３８】
制御ボックス１５の内部にはまた、マイコンを主要素とする制御部４６が設けられ、この制御部４６に対して電磁弁４４が電気的に接続されている。
ここで制御部４６は、電磁弁４４の作動制御を行う。
この制御部４６にはまた、上記のセンサ２６及び２８が電気的に接続されている。
制御部４６は、センサ２６による人体検知に基づいて電磁弁４４を開閉制御し、吐水口１６からの温水の吐水と止水とを制御する。
尚給水路３６，給湯路４０上には混合弁３０側への水，湯の流れのみを許容し、逆方向の流れを阻止する逆止弁４８が設けられている。
【００３９】
給水元管からの水はまた、逆止弁４８の下流部で給水路３６から分岐した浄水路５０に取り出され、そして浄水路５０上に設けられた浄水器５２のフィルタを通過してそこで浄化された上で、浄化後の水（浄水）が、混合弁３０をバイパスして流出路４２に導かれ、そしてその流出路４２を通じて吐水ヘッド１８の吐水口１６から吐水されるようになっている。
この浄水路５０上には、浄水器５２への原水の流入側において電磁弁５４と定流量弁５６とが設けられている。
【００４０】
電磁弁５４は制御部４６に電気的に接続されており、制御部４６による電磁弁５４の開閉制御によって、吐水口１６からの浄水の吐水と止水とが行われる。
詳しくは、センサ２８による人体検知に基づいて電磁弁５４が制御部４６により開閉制御されることによって、浄水の吐水と止水とが行われる。
【００４１】
図１に示しているように、吐水管１４は逆Ｕ字状のグースネック形状をなしており、その先端側の吐水ヘッド１８は、図２及び図４に示しているように、筒状をなすコア部材５８と、これを外周側から覆うカバー６０、更に吐水口部材６２を有しており、そのコア部材５８に対して給水ホース２２の先端部が水密に接続されている。
【００４２】
一方ホルダ管２０は、吐水ヘッド１８との分割位置に到るまで一様な内径及び外径で連続して延びる一体の管体（ここでは金属製）にて構成されており、その先端開口がセンサ２６，２８及びこれを保持する後述の仕切部材としてのセンサホルダ６６を管軸方向に挿入するための、管軸方向を向いた挿入開口６８を成している。
この実施形態では、図３にも示しているようにセンサ２６及び２８が全体として一体のセンサユニット６４を成している。
【００４３】
センサユニット６４は、図３に示しているように下側に回路ケース７０を有しており、その内部にセンサ回路が収容されている。
一方回路ケース７０の上側には、透光性を有するセンサケースが回路ケース７０から突出する形状で設けられており、そのセンサケースの内部に、センサ２６，２８にそれぞれ対応した発光素子及び受光素子が収容されている。
【００４４】
回路ケース７０とセンサケースとの内部は互いに連通した空間とされており、回路ケース７０に収容された基板上に上記の発光素子，受光素子が搭載されており、そしてそれら発光素子，受光素子がセンサケースの内部に収容されている。
センサ２６，２８はそれぞれ発光素子からの光を素子ケースを通して投光し、その反射光を受光素子で受光して人体検知を行う。
ここでセンサユニット６４は、図２，図５に示しているようにグースネック形状をなす吐水管１４におけるホルダ管２０の湾曲形状に対応した形状の湾曲形状をなしている。
【００４５】
上記センサ２６，２８（厳密にはセンサケース）は、全体として平面形状が管軸方向に長い矩形状をなしており、そして図３に示しているようにこれらを取り囲むようにして弾性を有するシール部材７２がセンサユニット６４における回路ケース７０の上面に固設されている。
【００４６】
センサユニット６４は、センサ２６，２８を図２及び図４に示しているようにホルダ管２０に設けられた開口窓部２４に嵌め込む状態に、ホルダ管２０にその内側から取り付けられている。
【００４７】
詳しくは、回路ケース７０の上面をホルダ管２０の内面に当接させ、そしてセンサ２６，２８を開口窓部２４内に嵌め込む状態にホルダ管２０に取り付けられている。
このとき弾性シール部材７２は、図７（Ｂ），（Ｃ）に示すようにホルダ管２０の内面に弾性圧接せしめられ、その弾性圧接状態の下でシール作用する。
【００４８】
この実施形態では、このようにしてセンサ２６，２８が開口窓部２４に嵌め込まれ、開口窓部２４に対して嵌合することによって、センサ２６，２８及びこれを含むセンサユニット６４がホルダ管２０に対して管軸方向及びこれと直角方向に位置決めされ、ホルダ管２０に対して固定状態とされる。
【００４９】
尚この実施形態において、センサ２６，２８は開口窓部２４に嵌め込まれ取り付けられた状態において、図７（Ｂ）に示しているように湾曲状をなすその上面がホルダ管２０の上面と同一面、即ち面一面を形成する。
この結果ホルダ管２０は、その基端から先端に到るまで、上面を含む外面全体が凹凸の無い平滑な面を形成する。
【００５０】
センサユニット６４からは、その前端（図３中下端）から合計６本の電気配線が引き出されている。
このうち４本が束ねられて配線コード７６Ａ-１とされ、また残りの２本が束ねられて配線コード７６Ａ-２とされている。
図中７６Ａは、これら配線コード７６Ａ-１，７６Ａ-２から成るセンサ側の配線コードを表している。
【００５１】
一方上記の制御部４６からは、図３，図５，図７（Ａ）に示しているように対応する６本の電気配線を１つに束ねて成る制御部４６側の配線コード７６Ｂが延び出し、この配線コード７６Ｂがホルダ管２０にその基端側から挿通されている。
【００５２】
図３に示しているようにこの配線コード７６Ｂは、先端側がセンサ側の配線コード７６Ａ-１に対応した４本の配線コード７６Ｂ-１と、センサ側の配線コード７６Ａ-２に対応した２本の配線コード７６Ｂ-２とに分かれており、そして図５に示すように配線コード７６Ａ-１と７６Ｂ-１とがコネクタ８０-１により、また図６に示すように配線コード７６Ａ-２と７６Ｂ-２とがコネクタ８０-２にてそれぞれ連結されている。
【００５３】
即ち、配線コード７６Ａ-１の先端に設けられた雌コネクタ８０-１Ａと、配線コード７６Ｂ-１の先端に設けられた雄コネクタ８０-１Ｂとにより、配線コード７６Ａ-１と７６Ｂ-１とが連結され、また配線コード７６Ａ-２の先端に設けられた雌コネクタ８０-２Ａと、配線コード７６Ｂ-２の先端に設けられた雄コネクタ８０-２Ｂとにより、配線コード７６Ａ-２と７６Ｂ-２とがそれぞれ連結されている。
【００５４】
上記仕切部材としてのセンサホルダ６６は、図２，図４にも示しているようにセンサユニット６４をホルダ管２０の内部において下側から保持する働きをなす部材で、ここではこのセンサホルダ６６は樹脂製とされている。
このセンサホルダ６６は、ホルダ管２０の管軸方向に長手形状をなしており、且つその全体がホルダ管２０の湾曲形状に対応した形状の湾曲形状をなしている。
【００５５】
センサホルダ６６は、図３及び図８に示しているように水平方向に薄板状をなすセンサ支持部８２を有しており、そのセンサ支持部８２の上面にセンサユニット６４を載せて、これをホルダ管２０の内側から保持するようになっている。
【００５６】
仕切部材としてのセンサホルダ６６はまた、同じく薄板状をなしてセンサ支持部８２から立下がる仕切部としての支持脚８４を有しており、図７（Ｂ），（Ｃ）に示しているようにセンサ支持部８２の左右方向の両端及び支持脚８４の下端の、ホルダ管２０の内面への当接作用により、ホルダ管２０内部への挿入時にホルダ管２０内に嵌合し、その嵌合作用によってホルダ管２０に対して径方向に位置決めされ、その位置決め状態でホルダ管２０の内部に保持されるようになっている。
尚、図７に示しているように支持脚８４は下端に着座部８６を有しており、支持脚８４はこの着座部８６においてホルダ管２０の内面に当接し、着座するようになしてある。
【００５７】
本実施形態において、仕切部材としてのセンサホルダ６６は、図７（Ｂ），（Ｃ）に示すように支持脚８４がホルダ管２０内部を、使用者から見た正面視においてホース挿通空間８８と配線収納空間９０とに左右に区画する仕切部を成しており、図７（Ｂ），（Ｃ）中右側のホース挿通空間８８に上記の給水ホース２２が収納され、また図中左側の配線収納空間９０に配線コード７６Ａ，７６Ｂがコネクタ８０-１，８０-２とともに収納されるようになっている。
【００５８】
センサホルダ６６には、配線収納空間９０側に突出してコネクタを固定するための複数の爪が設けられている。
詳しくは、図５及び図８（Ｃ）に示しているように、センサ支持部８２の下面から爪９２，９４が下向きに突出形成され、また支持脚８４から側方に向けて爪９６が突出形成されている。
ここで爪９２は、コネクタ８０-１の側面に当接してコネクタ８０-１を支持脚８４と協働して図７中左右方向に位置決めし、また爪９６は、コネクタ８０-１の下面を支持してコネクタ８０-１の上下方向の位置決めを行う。
【００５９】
更に爪９４は、コネクタ８０-１の前端（図５中右端）に当接し、コネクタ８０-１の凹陥部に入り込んだ爪９６と協働して前後方向（図５中左右方向）の位置決めをなす。
そしてそれら爪９２，９６，９４の位置決作用によって、それらが協働してコネクタ８０-１をセンサホルダ６６に固定する。
【００６０】
センサホルダ６６にはまた、支持脚８４から配線収納空間９０側に突出する状態でコネクタ８０-２の固定用の爪９８が設けられている。
爪９８は、図７（Ｂ）及び図８（Ｃ）に示しているようにＬ字状に上向きに折れ曲っており、コネクタ８０-２の凹陥部にこの爪９８が下側から嵌り込むことで、コネクタ８０-２を位置決状態にセンサホルダ６６に固定する。
【００６１】
尚、センサホルダ６６には、支持脚８４から配線収納空間９０側に突出する別の爪１００が設けられている。
この爪１００は、支持脚８４から水平方向に突出した後、下向きに折れ曲るＬ字状をなしている。この爪１００は、図５及び図６に示しているように配線コード７６Ｂ-１，７６Ｂ-２の掛止用のものである。
但し配線コード７６Ｂ-１，７６Ｂ-２は、この爪１００に対して掛止状態を保ちながらスライド移動することが可能である。
【００６２】
この実施形態において、上記コネクタ８０-１，８０-２は図５及び図６に示すように仕切部材としてのセンサホルダ６６の仕切部となる支持脚８４の奥側の後部に配置されており、図８（Ａ），（Ｂ）に示すように支持脚８４はこのコネクタ８０-１，８０-２よりも前側の部位で配線収納空間９０側に図８（Ａ）中左側（図８（Ｂ）中ここでは上側）に湾曲させられており、その湾曲部１０６よりも前側の前部８４Ａが湾曲部１０６よりも後側の後部８４Ｂに対して、配線収納空間９０側に偏って位置させられている（図７（Ｂ），（Ｃ）参照）。
【００６３】
コネクタ８０-１，８０-２は大型の部品であり、これを収納するための空間をホルダ管２０の径方向、具体的にはここでは左右方向に広く確保しておく必要がある。
そのためここでは仕切部となる支持脚８４の後部８４Ｂを、前部８４Ａに対して図中右側に偏った位置に位置させ、図７（Ｂ）に示しているように配線収納空間９０を、これらコネクタ８０-１，８０-２の位置する部分において左右方向に広く確保している。
その結果、ここでは後部８４Ｂがホース挿通空間８８内の給水ホース２２、詳しくは後部８４Ｂに対応する部分をホルダ管２０の左右方向中心部よりも図中右側に偏って位置させるものとなっている。
【００６４】
一方において配線収納空間９０は、コネクタ８０-１，８０-２が位置していない部分については収納空間を広く確保しておく必要はなく、そこでここでは図７（Ｃ）に示すように支持脚８４の前部８４Ａを後部８４Ｂに対して図中左側、即ち配線収納空間９０側に偏って位置させてある。
そしてこれにより、支持脚８４にて仕切られたホース挿通空間８８を、この前部８４Ａに対応する部分において左右方向に広く確保してある。
この前部８４Ａは、ホース挿通空間８８内の給水ホース２２、詳しくは前部８４Ａに対応する部分を、図７（Ｃ）に示しているようにホルダ管２０の左右方向の中央部に位置させるものとなしてある。
【００６５】
上記湾曲部１０６は、図８（Ｂ）に示しているように断面円弧形状となしてあり、ホース挿通空間８８内の給水ホース２２は引出し及び収納の際の移動時に、後部８４Ｂから８４Ａに、またその逆に円滑に湾曲部１０６にて移動案内される。
即ち湾曲部１０６は給水ホース２２の図７中左右方向位置を円滑に移行させるための案内部として働く。
【００６６】
本実施形態において、湾曲部１０６は引出状態の給水ホース２２をホルダ管２０内部に押し込み収納する際に、給水ホース２２の外面に摺接して水切りを行う水切り部としても働く。
而してその水切り部としての湾曲部１０６にて水切りされた後の水は、図２に示すようにホルダ管２０の湾曲部１０６の前側且つ下部に貫通して設けられた水抜孔１２８を通じて下方に、即ちホルダ管２０の外部に排出せしめられる。
【００６７】
このセンサホルダ６６の前端（図８中左端）には、正面視において左方に曲った曲げ部１０４が設けられ、更にこれに続いて上方に曲った被掛止部１０２が設けられている。
この被掛止部１０２の付根部位には、段違い形状の当接部１０７が設けられている。
【００６８】
この当接部１０７は、センサホルダ６６をホルダ管２０の先端の挿入開口６８からホルダ管２０内部に管軸方向に挿入したとき、図２の部分拡大図に示しているようにセンサユニット６４の前端に当接して、その当接作用によりセンサホルダ６６の挿入端を規定する働きをなす。
尚、センサホルダ６６の後端（図８中右端）には、側面形状が半円形状で支持脚８４から後方に突出した係合突片１０８が設けられている。
【００６９】
図５に示しているように、配線コード７６-１（７６Ａ-１及び７６Ｂ-１から成る配線コード７６-１）は、センサユニット６４の前端から引き出された後、吐水管１４の基端側の方向の後方に曲げ返されてその後方に延びた後、センサユニット６４の後端（図中左端）近傍位置で前方（図中右方）に曲げ返された上、再びセンサユニット６４の前端近傍位置で後方に曲げ返され、全体を１本に束ねた配線コード７６Ｂへと到っている。
【００７０】
同様に、図６に示すように配線コード７６-２（７６Ａ-２及び７６Ｂ-２から成る配線コード７６-２）についても、センサユニット６４の前端から引き出された後、後方（図６中左方）に曲げ返されて後方へと延びた後、更に前方（図６中右方）に曲げ返されて前方へと延び、再び後方に曲げ返されて配線コード７６Ｂへと到っている。
【００７１】
これら配線コード７６Ａ−１，７６Ａ-２及び７６Ｂ-１，７６Ｂ-２のＵ字状をなす部分、即ちセンサユニット６４から後方に延びた後、向きを１８０°転回して前方に延び、その後に後方へと向きを転回するまでのＵ字状の部分は、配線コード７６Ａ，７６Ｂにおける余長部分となるもので、この余長部分により、センサホルダ６６を後に示すようにホルダ管２０の挿入開口６８を通じホルダ管２０から引き出す際に配線コード７６Ａ，７６Ｂに引張りの力を発生させることなく、円滑にセンサホルダ６６をホルダ管２０から引き出すことが可能となる。
【００７２】
図４（及び図２，図５）に示しているように、ホルダ管２０の先端部には、ホルダ管２０から突出し、吐水ヘッド１８の雌嵌合部１１０との嵌合によって吐水ヘッド１８を保持する雄嵌合部１１２を備えた円筒形状をなす筒体１１４が設けられている。
この筒体１１４は、その外径が雄嵌合部１１２の外径よりも大径をなす大径部１１６を一体に有しており、その大径部１１６がホルダ管２０の先端部に内嵌状態に嵌合されて、固定具としてのビス１１８によりホルダ管２０の先端部に固定されている。
【００７３】
この筒体１１４には、後方（図中右方）に突出する掛止爪１２０がその上部に一体に設けられており、この掛止爪１２０が、センサホルダ６６における上記の被掛止部１０２に係合せしめられている。
即ちこの実施形態では、センサホルダ６６及びこれとは別体に構成された筒体１１４が、掛止爪１２０と被掛止部１０２との係合によって管軸方向に連結状態とされている。
【００７４】
尚ホルダ管２０への筒体１１４の固定状態において、図４の部分拡大図に示しているように掛止爪１２０と被掛止部１０２との間には管軸方向に微小な遊びがもたせてある。
この遊びは筒体１１４をホルダ管２０から引き出したときに消失して、図１２の部分拡大図に示しているように掛止爪１２０と被掛止部１０２とが引っ掛かった状態となり、筒体１１４に加えられた抜出方向の力がセンサホルダ６６へと伝えられる。
【００７５】
センサホルダ６６は、上記のようにセンサ２６，２８が開口窓部２４に嵌り込むことによって、更には段付形状の当接部１０７がセンサユニット６４に当接することによって、押込方向（挿入方向）に位置決めされる。即ちその挿入端が規定される。
【００７６】
但しこのままではセンサホルダ６６はホルダ管２０からの抜出方向には位置決めされていない。
しかるに筒体１１４をホルダ管２０に挿入し、そして筒体１１４をセンサホルダ６６の前端（図中左端）に当接させることで、センサホルダ６６が抜出方向にも位置決めされる。
【００７７】
図３に示しているようにホルダ管２０の内部には、仕切部材としてのセンサホルダ６６の更に後側に、樹脂のシートを円形に巻いた状態に成形して成るホースガイド管１２２が挿入されており、このホースガイド管１２２内部に上記の給水ホース２２が挿通され、その先端部が上記のように吐水ヘッド１８に接続されている。
【００７８】
給水ホース２２は、吐水ヘッド１８とともにホルダ管２０から引き出されるとき、或いは再び元に戻されるときに、このホースガイド管１２２内部を管軸方向に移動する。
即ち給水ホース２２の管軸方向の移動が、このホースガイド管１２２によってガイドされ、給水ホース２２の移動時に給水ホース２２がホルダ管２０に対して擦れを生じるのが良好に防止され、給水ホース２２が円滑に移動せしめられる。
【００７９】
仕切部材としてのセンサホルダ６６は、図９に示すように支持脚８４Ｂの後端から後方に突出した上記の係合突片１０８を、このホースガイド管１２２の前端部の内部に係入させることによって、ホースガイド管１２２と上記のホース挿通空間８８との間で給水ホース２２を円滑に移行案内する。
【００８０】
図９（Ａ）では、樹脂シートを巻いた状態に成形して成るホースガイド管１２２の下部を展開した形状で表している。図９（Ａ）に示しているようにホースガイド管１２２には幅方向の端部と幅方向の中央部とに多数のスリット１２４と１２６とが設けてある。
尚図７（Ａ）に示しているように、ホースガイド管１２２の外側には配線収納空間が形成されていて、そこに上記の制御部４６から延び出した配線コード７６Ｂが収納されている。
【００８１】
本実施形態の自動水栓では、センサユニット６４を次のようにしてホルダ管２０に組み付けることができる。
詳しくは、図１０に示しているように先ずセンサ２６，２８をセンサユニット６４とともにホルダ管２０の先端の挿入開口６８を通じてホルダ管２０の内部に挿入し、そしてホルダ管２０の開口窓部２４にその一部を（望ましくはセンサ２６の前端側の一部を）嵌め込んだ状態とする（図１１（Ｉ）参照）。
尚、そのようにして開口窓部２４に一部を嵌め込んだ状態でセンサユニット６４を、粘着テープ等にてホルダ管２０に仮止めしておく。
その状態で、図１０に示すようにセンサホルダ６６（配線コードについては図示を省略）を、同じくホルダ管２０の先端の挿入開口６８を通じてホルダ管２０内部に管軸方向に挿入する。
【００８２】
このとき、センサホルダ６６の挿入によって、図１１（II）に示しているようにセンサユニット６４が、弾性を有するシール部材７２をホルダ管２０の内面に弾性圧接させつつ図中上向きに押し上げられ、センサ２６，２８が開口窓部２４の全体に上向きに完全に嵌り込んだ状態となる。
同図に示しているように、この状態でセンサ２６，２８の外面がホルダ管２０の外面と面一面となる。
換言すれば、センサ２６，２８はシール部材７２を介してホルダ管２０の内面に弾性圧接状態に取り付けられ、固定される。
【００８３】
またホルダ管２０の内部に挿入されたセンサホルダ６６は、センサ支持部８２の上面においてセンサユニット６４を下側から保持した状態となり、更にセンサホルダ６６は、センサ支持部８２の両端及び支持脚８４の下端、詳しくは着座部８６のホルダ管２０内面への当接作用により、径方向に位置決状態でホルダ管２０内部に保持される。
またセンサホルダ６６は、その前端の段付形状の当接部１０７のセンサユニット６４に対する当接作用によって挿入端（押込端）が規定される。
【００８４】
またセンサホルダ６６と一緒に筒体１１４をホルダ管２０内部に挿入し、或いはセンサホルダ６６を先にホルダ管２０内部に挿入した後において、筒体１１４をホルダ管２０内部に挿入し、そして図１２に示すように筒体１１４をビス１１８にてホルダ管２０に固定することで、センサホルダ６６が抜出方向にも位置決めされ、固定される。
【００８５】
一方、センサ２６，２８やコネクタ８０-１，８０-２等のメンテナンスの必要が生じた場合には、センサ２６，２８或いはコネクタ８０-１，８０-２等を次のようにして容易にホルダ管２０の外部に取り出すことができる。
【００８６】
詳しくは、図４に示す状態においてビス１１８を外すことによって、筒体１１４をホルダ管２０から抜き出すと、筒体１１４に対して掛止爪１２０と被掛止部１０２とにおいて連結状態にあるセンサホルダ６６が、筒体１１４とともに挿入開口６８を通じホルダ管２０から管軸方向に抜き出される。
【００８７】
尚配線コード７６Ａ-１，７６Ｂ-１，７６Ａ-２，７６Ｂ-２には、図５及び図６に示しているようにホルダ管２０内部において所要の余長がもたせてあるため、センサホルダ６６は配線コード７６Ａ-１，７６Ｂ-１，７６Ａ-２，７６Ｂ-２に引張力を発生させることなく、コネクタ８０-１，８０-２をセンサホルダ６６にて保持した状態で（図１３参照）これら配線コード７６Ａ-１，７６Ｂ-１，７６Ａ-２，７６Ｂ-２とともにホルダ管２０の挿入開口６８から抜き出すことができる。
尚、図１３では配線コード７６Ａ-１，７６Ｂ-１についてのみ図示しているが、配線コード７６Ａ-２，７６Ｂ-２についても基本的に同様である。
このようにしてセンサホルダ６６を抜き出すことで、その後センサユニット６４を容易にホルダ管２０から挿入開口６８を通じて外部に抜き出すことができる。
【００８８】
以上のような本実施形態においては、コネクタ８０-１，８０-２を電気配線とともにホルダ管２０の内部に収納してあるため、コネクタ８０-１，８０-２の配置個所においてもホルダ管２０を小型に細く構成することができ、ホルダ管２０全体ひいては吐水管１４を従来に増してスリムに構成することが可能となる。これにより吐水管１４の美観，意匠性を高めることが可能となる。
【００８９】
一方でホルダ管２０の内部は、コネクタ８０-１，８０-２の配置個所において、仕切部材としてのセンサホルダ６６の仕切部としての支持脚８４により、ホース挿通空間８８とコネクタ８０-１，８０-２及び電気配線の収納空間９０とに区画されているため、コネクタ８０-１，８０-２及び電気配線をホルダ管２０の内部に収納しているにも拘わらず、給水ホース２２の引出し及び収納の際の移動時に、給水ホース２２に対してコネクタ８０-１，８０-２及び電気配線が干渉するのを防止することができる。
【００９０】
また本実施形態では、コネクタ８０-１，８０-２を支持脚８４の奥側の後部８４Ｂに配置し、その後部（奥部）８４Ｂにおいてはコネクタ８０-１，８０-２のために配線収納空間９０を広く確保するようになす一方、コネクタ８０-１，８０-２よりも前側の部位で支持脚８４を配線収納空間９０側に湾曲させて、その湾曲部１０６よりも前部８４Ａを湾曲部１０６よりも後部８４Ｂに対して配線収納空間９０側に偏って位置させ、そのことによって前部８４Ａにおいてはホース挿通空間８８をホルダ管２０の径方向に広く確保し、その前部８４Ａにおいて給水ホース２２をホルダ管２０の中央部に位置させるようにしており、これにより給水ホース２２が吐水ヘッド１８との接続部近傍で急激に屈曲した形状とならず、そのことによって給水ホース２２をホルダ管２０から円滑に引き出し、又は収納することができる。
【００９１】
またその際、支持脚８４に設けた湾曲部１０６によって、配線収納空間９０の狭い後部８４Ｂから配線収納空間９０の広い前部８４Ａへと若しくはその逆に給水ホース２２を円滑に移動案内することができる。
【００９２】
また支持脚の後端に係合突片１０８を設けて、これをホースガイド管１２２の前端部に係入させてあることによって、吐水ヘッド１８とともに給水ホース２２を引き出す際若しくはこれを収納する際に、ホースガイド管１２２とホース収納空間８８との間で給水ホースを円滑に移行案内することができる。
【００９３】
また支持脚８４における湾曲部１０６は、給水ホース２２の収納時に給水ホース２２に摺接して水切りを行う水切り部を成しており、且つホルダ管２０には湾曲部１０６の前側且つ下側に貫通の水抜孔１２８が設けてあるため、ホース収納時に給水ホース２２に付着した水がホルダ管２０の内部に浸入し、更にホルダ管２０の内部を伝ってキャビネット等の内部に浸入するのを良好に抑制することができる。また湾曲部１０６で水切りした水を、ホルダ管２０の水抜孔１２８を通じて外部に良好に排出することができる。
【００９４】
本実施形態ではまた、センサ２６，２８をホルダ管２０に対してその内側から取り付けてあるため、センサ取付部を含むホルダ管２０の全体、ひいては吐水管１４をより小型でスリムに構成し、外観をより一層良好なものとなすことができる。
【００９５】
以上本発明の実施形態を詳述したがこれはあくまで一例示である。
例えば上記実施形態では温水センサと浄水センサとを吐水管本体２０に設けているが、場合によって何れか一方又は他の種類の１種類のセンサのみを或いは逆に３種類以上のセンサを設けておくといったことも可能である。更に仕切部材を他の形態で設けることも可能であるなど、本発明はその趣旨を逸脱しない範囲において種々変更を加えた形態で構成可能である。
【図面の簡単な説明】
【００９６】
【図１】本発明の一実施形態である自動水栓の概略全体図である。
【図２】同実施形態における吐水管の側面断面図である。
【図３】同実施形態の吐水管を各部品に分解して示す分解斜視図である。
【図４】同実施形態の吐水管を吐水ヘッドを引き出した状態で示す断面図である。
【図５】図２とは異なる側面（配線収納空間側）の断面図である。
【図６】図５とは異なる配線コードの設置状態を示す図である。
【図７】図５のア-ア断面図，イ-イ断面図，ウ-ウ断面図である。
【図８】センサホルダの単品図である。
【図９】ホースガイド管の一部を展開状態で示した図である。
【図１０】センサホルダの吐水管への挿入途中を示した説明図である。
【図１１】図１０のセンサホルダの挿入による作用説明図である。
【図１２】センサホルダの吐水管本体からの取出途中を示した説明図である。
【図１３】図１２のセンサホルダの取出しによる作用説明図である。
【符号の説明】
【００９７】
１４  吐水管
１６  吐水口
１８  吐水ヘッド
２０  ホルダ管
２２  給水ホース
２６  温水用センサ
２８  浄水用センサ
４６  制御部
６６  センサホルダ（仕切部材）
７６Ａ，７６Ａ-１，７６Ａ-２，７６Ｂ，７６Ｂ-１，７６Ｂ-２  配線コード
８０-１，８０-２  コネクタ
８４  支持脚（仕切部）
８４Ａ  前部
８４Ｂ  後部
８８  ホース挿通空間
９０  配線収納空間
１０６  湾曲部
１０８  係合突片
１２２  ホースガイド管
１２８  水抜孔
【図１】
2010133131.tif 000003
【図２】
2010133131.tif 000004
【図３】
2010133131.tif 000005
【図４】
2010133131.tif 000006
【図５】
2010133131.tif 000007
【図６】
2010133131.tif 000008
【図７】
2010133131.tif 000009
【図８】
2010133131.tif 000010
【図９】
2010133131.tif 000011
【図１０】
2010133131.tif 000012
【図１１】
2010133131.tif 000013
【図１２】
2010133131.tif 000014
【図１３】
2010133131.tif 000015